(57)【要約】【課題】飲料水が人体に最適な状態で飲めるように、飲料材料とその溶解水とを分離して保存し、飲む時に飲料材料を溶解させることができるようにする。【解決手段】本発明の飲料用容器は、乾燥させた固体状の飲料材料を、その溶解水と共に収納する飲料用容器であって、溶解水を収納するペットボトル本体と、ペットボトル本体の口頚部に螺合するように形成したキャップと、キャップの内側に飲料材料を収納する収納袋と、を備え、飲料時に、収納袋を破袋して、飲料材料を溶解水で溶解させるようにした。収納袋はキャップの天井部および口頚部の先端に接着して設けたこと、もしくは、キャップに手で弾性変形する変形部が設けられていることを特徴とする。【選択図】          図１
2004284653.tif 000002
【特許請求の範囲】
【請求項１】
乾燥させた固体状の飲料材料を、その溶解水と共に収納する飲料用容器であって、
前記飲料用容器は、前記溶解水を収納するペットボトル本体と、
前記ペットボトル本体の口頚部に螺合するように形成したキャップと、
前記キャップの内側に設けられ、前記飲料材料を収納する収納袋と、を備え、
飲料時に、前記収納袋を破袋して、前記飲料材料を前記溶解水で溶解させるようにしたことを特徴とする飲料用容器。
【請求項２】
前記収納袋は、前記キャップの天井部および前記口頚部の先端に接着して設けられていることを特徴とする請求項１に記載の飲料用容器。
【請求項３】
前記キャップには、手による外圧で弾性変形する変形部が設けられていることを特徴とする請求項１または２に記載の飲料用容器。
【請求項４】
前記収納袋は、手による外圧で破袋する合成樹脂シートもしくは金属箔で形成されていることを特徴とする請求項１から３のいずれか１項に記載の飲料用容器。
【発明の詳細な説明】
【０００１】
【発明の属する技術分野】
本発明は、飲料材料をキャップ内部に保持しうるように構成したペットボトルキャップの内部構造に関する。
【０００２】
【従来の技術】
通常、ペットボトルは、本体がポリエチレンテレフタレート系樹脂製で製造され、キャップはポリプロピレン製やポリエチレン製が使用されている。このような素材の違いは、再処理過程で分別が必要なものとなることから、特開２００２・１７９１０５号公報には、ペットボトル用キャップに関する技術が開示されている。この公報は、キャップの素材をポリブチレンテレフタレート系樹脂とすると共に、構造に関しては、キャップ内面の天面にリブ構造を持ち、このリブ構造がボトルの口頚部に接しシールできること、及び、キャップ内面の天面に溝構造を持ち、この溝構造にボトルの口頚部が接しシールできることを特徴とするものである。また、ペットボトルで保存される飲料水は、一定期間保存できるものに限られており、保存剤を混入することなどは適宜実施されている。しかし、健康飲料のように、健康のために配慮された飲料水であった場合、従来のように、水に溶解させた状態で保存させていたのでは、その有効成分の活性が急速に損なわれることになるので、最適な状態で飲める健康飲料とはなっていなかった。
【０００３】
【発明が解決しようとする課題】
本発明は、上記事情に鑑みてなされたものであり、飲料水が人体に最適な状態で飲めるように、飲料材料とその溶解水とを分離して保存し、飲む時に飲料材料を溶解させることができるようにすることを課題とする。
【０００４】
【課題を解決するための手段】
上記目的を達成するために、本発明の飲料用容器は、乾燥させた固体状の飲料材料を、その溶解水と共に収納する飲料用容器であって、前記飲料用容器が、前記溶解水を収納するペットボトル本体と、前記ペットボトル本体の口頚部に螺合するように形成したキャップと、前記キャップの内側に設けられ、前記飲料材料を収納する収納袋と、を備え、飲料時に、前記収納袋を破袋して、前記飲料材料を前記溶解水で溶解させるようにしたことを特徴とする。前記収納袋は、前記キャップの天井部および前記口頚部の先端に接着して設けたことを特徴とする。前記キャップには、手による外圧で弾性変形する変形部が設けられていることを特徴とする。さらに、前記収納袋は、手による外圧で破袋する合成樹脂シートもしくは金属箔で形成されていることを特徴とする。
【０００５】
これにより、飲料時に、飲料材料を溶解水で溶解させて、飲料できるようにした飲料水が得られ、飲料水が飲料材料に含まれる活性素材を失活させることがない。収納袋は、キャップの天井部とペットボトルの口頚部の先端に接着して設けられているので、キャップを回転させると、収納袋が破袋し、その中に収納した飲料材料を溶解水中に落下させることができる。キャップに、手による外圧で弾性変形する変形部を設けることにより、キャップ上部を外側から手で押圧し、収納袋を破袋させることもできる。収納袋は、手による外圧で破袋するように構成されているので、飲料材料が溶解した直後の飲料水が手軽に飲めるものとなる。
【０００６】
【発明の実施の形態】
本発明の実施の形態を図面に基いて説明する。本発明の飲料用容器は、ボトルキャップ１（スクリューキャップ）で封鎖して構成されるペットボトル本体１０に関し、ボトルキャップ１内の構造に特徴があるので、ボトルキャップ１部分を断面図にて説明する。図１は、ペットボトル本体１０の口頚部２にボトルキャップ１（スクリューキャップ）を螺合させ、閉じた状態である。この状態では、ボトルキャップ１内に、固体状の飲料材料３を封入した収納袋４が保持されている。即ち、収納袋４は天井部１ａに接着されると共に、口頚部２の先端２ａにも接着されて設けられ、飲料材料３を保持するものである。
【０００７】
図２は、ボトルキャップ１を回した瞬間を示したものである。上述したように、収納袋４は、キャップの天井部１ａに接着して設けると共に、口頚部先端２ａにも接着して設けられているので、ボトルキャップ１を回すと容易に破れるようになっている。これにより、図２に示すように、ボトルキャップ１を回すと、収納袋４が破れ、収納袋４の中に収納されていた飲料材料３は落下するものとなる。即ち、ペットボトル本体１０には、溶解水が収納されているので、飲料材料３は落下することにより、溶解水中で溶解されて飲料水となる。このように、ボトルキャップ１を回して開封し、飲料時に飲料材料３を溶解水中に落下させて飲料水とするので、飲料材料３の活性が失なわれない状態で飲料できるものとなる。
【０００８】
収納袋４の材質は、ボトルキャップ１を回すことで容易に破袋するように、薄い合成樹脂で形成されたシートもしくは金属箔で形成するのがよい。また、収納袋４をキャップの天井部１ａに接着させる際の接着強度は、口頚部先端２ａに接着させる強度よりも強いものとする。即ち、図３に示すように、口頚部先端２ａが離脱するにつれて、口頚部先端２ａは、収納部４から剥離するようにする。これにより、収納袋４の破片は、キャップの天井部１ａに接着した状態で残り、口頚部先端２ａには残らないので、飲料時に不快感を与えることはない。
【０００９】
図４は、シール部材５を手で直接破るように構成した飲料用容器である。この実施の形態において、ボトルキャップ１のキャップの天井部１ａには、ボトルキャップ１と同心円でリブ６を形成し、そのリブ６の先端をシール部材５で被い、そのシール部材５の上に飲料材料３を載置したものである。シール部材５は、手で容易に破れるように形成されており、飲料時には飲料材料３を溶解水中に落下させて飲料水とする。飲料材料３の形状は、特に限定されるものではなく、錠剤（図５参照）や粉末状でもよい。また、図５に示すように、ボトルキャップ１の天井部１ａに収納袋を接着して設けるだけの構成とすることもできる。
【００１０】
図６は、ボトルキャップ１の上部を外圧で弾性変形するように形成し、収納袋４を破袋させるものである。即ち、ボトルキャップ１には、ペットボトルの口頚部２より内側に、その肉厚が薄くなるように円形溝７（変形部）を形成し、手の押圧で収納袋４が破袋（図７参照）するようにしたものである。これにより、飲料時に、飲料材料３を溶解水中に落下させて飲料水とすることができる。このように、ボトルキャップ１を弾性変形させる実施の形態は、ボトルキャップ１の上部を薄く形成すると共に、若干外側に湾曲させて形成すること（図省略）でも実施できる。このようにボトルキャップ１の上部を形成した場合は、外側の湾曲部を内側に湾曲させることにより、収納袋４を破袋させることができる。
【００１１】
【発明の効果】
本発明は、飲料水が飲料材料とその溶解水とに分離されて保存されているので、飲む時に飲料材料を溶解させることができ、飲料材料に含まれる活性素材の活性を失なわさせることがない飲料水が得られるものとなる。
また、キャップを回転させると飲料材料が溶解水中に落下するので、飲料水が飲料材料を溶解した直後の状態で手軽に飲めるものとなる。
ボトルキャップに変形部を設け、手による外圧で弾性変形させて収納袋を破袋するように構成した場合、手による破袋の操作感が得られるものとなる。
【図面の簡単な説明】
【図１】飲料用容器のボトルキャップ内を示した断面図である。
【図２】収納袋の破袋と飲料材料の落下を説明する説明図である。
【図３】口頚部の先端の離脱を説明する説明図である。
【図４】シール部材の上に飲料材料を載置して収納したことを示す断面図である。
【図５】ボトルキャップの天井部に収納袋を設けたことを示す断面図である。
【図６】ボトルキャップに変形部を形成したことを示す断面図である。
【図７】手の押圧で収納袋が破袋することを説明する説明図である。
【符号の説明】
１  ボトルキャップ
１ａ  キャップの天井部
２  ペットボトルの口頚部
２ａ  口頚部の先端
３  飲料材料
４  収納袋
５  シール部材
６  リブ
７  円形溝
１０  ペットボトル本体
【図１】
2004284653.tif 000003
【図２】
2004284653.tif 000004
【図３】
2004284653.tif 000005
【図４】
2004284653.tif 000006
【図５】
2004284653.tif 000007
【図６】
2004284653.tif 000008
【図７】
2004284653.tif 000009